Podtech/llm-jp-corpus-v4-ja_patent huggingface dataset:
(57)【要約】【課題】汚れが付着せず、静菌性、透液性・通気性を有し、皮膚が触れる際べとつかない生理用ナプキン構造を提供する。【解決手段】生理ナプキン本体は、最上部に表層１１を有する。表層１１下には、添加物層１２と、吸水バリア層１３と、吸水保水層１４と、最底部に形成された底層１５とが順次積層される。添加物層１２内部の添加物はタンパク質分解酵素である。表層１１は、ナノスケール砕石粉末紡糸繊維構造の不織布構造であり、汚れが付着せず、皮膚が触れる際べとつかないように静菌性・抗菌性、透液性・通気性を有する。【選択図】図２
0003190000.tif 000002
【実用新案登録請求の範囲】
【請求項１】
生理ナプキン本体は、最上部に表層を有し、
表層下には、添加物層と、吸水バリア層と、吸水保水層と、最底部に形成された底層とが順次積層され、
添加物層内部の添加物はタンパク質分解酵素であり、
表層は、ナノスケール砕石粉末紡糸繊維構造の不織布構造であり、汚れが付着せず、皮膚が触れる際べとつかないように、静菌性・抗菌性、透液性・通気性を有することを特徴とする生理用ナプキン構造。
【考案の詳細な説明】
【技術分野】
【０００１】
本考案は、生理用ナプキン構造に関し、特に、ナノスケール砕石粉末紡糸繊維構造の表層と、タンパク質分解酵素の添加物層とを有し、生理用ナプキンを使用する際、静菌性・耐汚染性の機能を有する生理用ナプキン構造に関する。
【背景技術】
【０００２】
生理用ナプキンは、現代女性にとって必要不可欠な日用品であり、生理による分泌物又は経血を吸収し、下着が汚れることを防ぎながら女性器を清潔に保つために用いる。
また、従来の生理用ナプキン構造の表層は、皮膚に密着されるため、皮膚に触れるときの不快感を減らすためにパルプ又は不織布材料からなる。
このような材料を実際に使用する際、通気が悪いために蒸れ易くなって細菌が増え、臭いがしたり病気に罹る虞がある。
【考案の概要】
【考案が解決しようとする課題】
【０００３】
本考案の目的は、生理用ナプキンの表層がナノスケール砕石粉末紡糸繊維の不織布構造からなり、汚れが付着せず、静菌性、透液性・通気性を有し、皮膚が触れる際べとつかない生理用ナプキン構造を提供することにある。
本考案のもう一つの目的は、生理用ナプキンの表層と吸水バリア層との間に添加物層を形成し、添加物はタンパク質分解酵素成分であり、このタンパク質分解酵素成分は、主に静菌性及び消臭・芳香機能を有して気持ち良く使用することができ、静菌体が生理用ナプキンに使用されているため、細菌による感染を効果的に防ぐことができる。
【図面の簡単な説明】
【０００４】
【図１】図１は、本考案の一実施形態に係る生理用ナプキン構造を示す斜視図である。
【図２】図２は、本考案の一実施形態に係る生理用ナプキン構造を示す断面図である。
【図３】図３は、本考案の一実施形態に係る生理用ナプキン構造の表層構造を示す斜視図である。
【考案を実施するための形態】
【０００５】
図１及び図２を参照する。図１及び図２に示すように、本考案の一実施形態に係る生理用ナプキン構造の生理ナプキン本体１０は、人体の皮膚に接触される表層１１を最上部に有する。表層１１下には、添加物層１２と、吸水バリア層１３と、吸水保水層１４と、最底部に形成された底層１５とが順次積層されている。底層１５は、通気性及び不透液性を有する材料からなる。吸水バリア層１３は、液体を吸収して表層１１へ液体が逆戻りすることを防ぐ。吸水保水層１４は主に液体吸収層からなる。
【０００６】
表層１１と吸水バリア層１３との間には、添加物層１２が形成されている。添加物層１２内部の添加物は、タンパク質分解酵素である。このタンパク質分解酵素は、主に静菌性及び消臭・芳香機能を有するため、気持ち良く使用することができる。また、添加物の静菌体を生理用ナプキンに使用すると、女性の生理期に引き起こされ易いモニリア性膣炎、かゆみなどの病気を予防し、細菌による感染を効果的に防ぐことができる。
【０００７】
図３を参照する。図３に示すように、表層１１は、ナノスケール砕石粉末紡糸繊維１１１からなる不織布構造であり、透液性を有して液体が逆戻りしない上、汚れが付着し難く、静菌性・抗菌性、通気性などが優れた長所を有し、皮膚が触れる際べとつかずに気持ち良く使用することができる。
【符号の説明】
【０００８】
１０  生理ナプキン本体
１１  表層
１２  添加物層
１３  吸水バリア層
１４  吸水保水層
１５  底層
１１１  ナノスケール砕石粉末紡糸繊維
【図１】
0003190000.tif 000003
【図２】
0003190000.tif 000004
【図３】
0003190000.tif 000005
(57)【要約】      （修正有）【課題】電源オフ時に鏡として機能する液晶モジュールを有する液晶モジュール端末機器を提供する。【解決手段】透明ガラス又は無色透明素材の背面に多様なデザイン・任意の形状にカットされた調光ミラーシートを貼着することを特徴とし、また、調光ミラーシートをガラス・タッチパネル又はプラスチックの無色透明素材基板に貼着することを特徴とする。【選択図】図２
0003189937.tif 000002
【実用新案登録請求の範囲】
【請求項１】
透明ガラス又は無色透明素材の背面に多様なデザイン・任意の形状にカット自在な調光ミラーシートを貼着することを特徴とする。
【請求項２】
液晶モジュールに請求項１記載形状表示
【請求項３】
通常時（電源オフ）液晶モジュールは、鏡として機能する。
【考案の詳細な説明】
【技術分野】
【０００１】  本考案は、調光ミラーシート特性の活用
【背景技術】
【０００２】  通常時（電源オフ）に鏡として機能する液晶モジュールはない。
【特許文献】
【特許文献１】  特許第５２０１６７３号
0003189937.tif 000003
【手続補正書】
【提出日】平成25年12月4日(2013.12.4)
【手続補正１】
【補正対象書類名】実用新案登録請求の範囲
【補正対象項目名】請求項３
【補正方法】変更
【補正の内容】
【請求項３】
通常時（電源オフ及びスリープモード）は、鏡として機能する。
【手続補正書】
【提出日】平成26年1月16日(2014.1.16)
【手続補正１】
【補正対象書類名】実用新案登録請求の範囲
【補正対象項目名】全文
【補正方法】変更
【補正の内容】
【実用新案登録請求の範囲】
【請求項１】
透明ガラス又は無色透明素材の背面に多様なデザイン・任意の形状にカットされた調光ミラーシートを貼着することを特徴とする液晶モジュール端末機器。
【請求項２】
電源オフ及びスリープモード状態時に液晶モジュールの表示画面が鏡として機能することを特徴とする請求項１記載の液晶モジュール端末機器。
【請求項３】
調光ミラーシートをガラス・タッチパネル又はプラスチックの無色透明素材基板に貼着することを特徴とする液晶モジュール端末機器。
【手続補正２】
【補正対象書類名】明細書
【補正対象項目名】全文
【補正方法】変更
【補正の内容】
【考案の詳細な説明】
【技術分野】
【０００１】本考案は必要性を感じつつ実用化することが出来なかった鏡機能付液晶モジュール端末機器に関するものである。端末機器の実用化にあたっては、液晶表示部を備えた機器であれば、タブレット・パソコン・テレビ・腕時計式端末など、他の端末機器への汎用性は高い。
【背景技術】
【０００２】従来より、フィルム状の鏡を携帯電話本体に貼付して使用する人もいるが、ミラーの劣化による張り替えなど煩わしく敬遠されている。
【図面の簡単な説明】
【０００３】
【図１】図１は、液晶モジュール表示部に動物形状にカットしたミラーを示す正面図である。
【図２】図２は、調光ミラーシート及び液晶モジュール表示部の断面を示す拡大側面図である。
【手続補正３】
【補正対象書類名】図面
【補正対象項目名】全図
【補正方法】変更
【補正の内容】
【図１】
0003189937.tif 000004
【図２】
0003189937.tif 000005
(57)【要約】      （修正有）【課題】伝統的立花並びに必要な役枝を極めて簡単に形作るための補助具を提供する。【解決手段】角棒の頂点に上方から木物の造花を差し込むための穴を開け、更に前記角棒の先端側の側面を平たく切削し、前記角棒の先端部を鋭利に尖らせる。これを使用する事で必要な役枝を簡易に作り出す事を可能にする。【選択図】図６
0003189932.tif 000002
【実用新案登録請求の範囲】
【請求項１】
角棒の頂点に上方から穴を開け木物の造花を差込更に込藁にその角棒を差し込みやすくする為に平たく切削し先端部を営利に尖らせた付け根の短い造花を立花と言う伝統的な生け方に使用するための補助具。
【考案の詳細な説明】
【技術分野】
【０００１】
本考案は、伝統的立花に必用な役枝を極めて簡単に形作るための補助具である。
【背景技術】
【０００２】
立花式仏華では役枝と言われる決まり事が有り枝に副木の様な金具を当てて針金で巻きつけてから決まり事に沿う形に曲げて活けて行くのだが大変な手間を要し、ことに下部の前置きや流枝と言った役枝はほぼ直角に曲げる事を要求され熟練者でも困難な技術が要求されるため経験の浅い方たちはその役枝を省略して活けてしまいお荘厳と言う教を視覚化すると言う立花の役割を果たして居ないものが増えていた。
【考案の概要】
【考案が解決しようとする課題】
【０００３】
従来伝統的な立花の生け方では上から真、見越し、副え、請け、胴、流枝、控え、前置きと言う役枝と言われる決まり事が有り、込藁と言われる藁の束に一本一本差し込んでいたが、上部の真や見越しは長い枝の檜葉や松が要求され、下部の流枝や前置きと言う役枝は直角に曲げる事が要求されていた為に活け花を習う者が減り更には良質の檜葉や松が手に入らない事もあって人工の真を使用する様になってきたが下部の前置きや流枝と言った約枝を形作るための道具が業界に存在しなかった為にそれらの約枝の無いものが流布してしまっていて、そこに木物即ち檜葉や松と言った人工樹を使用したくても付け根の枝が短いために使用できずにいた。
【課題を解決するための手段】
【０００４】
角棒の頂点部分に上から木物の付け根の枝を固定する為の穴をあけその下の杭の部分は込藁に差し込みやすくする為に厚みを切削し先端部を営利に尖らせた木製の杭に檜葉や松と言った付け根の短い人工樹を取り付けほぼ直角に曲げた物を伝統的技法に沿って杭を込藁に差すと言う形で活ける。
【考案の効果】
【０００５】
立花の本来の目的が何かと言う事が重要になってくるのだが、そもそも立花はお荘厳の要である。お荘厳とは無量寿経と言うお経を目で見て理解して頂く為の方法でありビジュアル化に当たる為、そこに要求された役枝が抜け落ちた花はもはや立花とは言えないのであって、全ての役枝を簡易に形作る器具がある事で仏教の教えそのものが伝わると言う大切な効果が生まれてくる。
【図面の簡単な説明】
【０００６】
【図１】木製の四角い杭の上から枝の付け根を差し込む穴の空いた図である。
【図２】木製の四角い杭を正面から見た図である。
【図３】木製の四角い杭を側面から見た図である。
【図４】木製の四角い杭に人口樹の付け根の枝を差し込む穴が解る正面断面図である。
【図５】木製の四角い杭に人口樹を付け根の枝を差し込む穴の解る側面断面図である。
【図６】木製の四角い杭に人口樹を取り付けて活けた時のイメージ断面図である。
【図７】木製の四角い杭に人口樹を取り付けて活けた時のイメージ図である。
【考案を実施するための形態】
【０００７】
以下、本考案の実施の形態を図面をもとに説明する。図1は、本考案にかかわる人口樹の付け根の枝を差し込む為の穴である。図2並びに図3は、本考案にかかわる人口樹の付け根の枝を差し込む為の杭の正面並びに側面から見た図であるが、杭の下部に当たる箇所を切削して細く先を尖らせる事で込藁に差込易くしている。図4並びに図5は、本考案にかかわる人口樹の付け根の枝を差し込む為の穴の形状が解る正面並びに側面図であるが、上から開けられた穴に人口樹の付け根の枝を差し込んで使用する。
図6並びに図7は、本考案にかかわる人工樹を杭に差込更に込藁と言われる立花特有の伝統的器具に差し込んだ側面断面図並びに側面イメージ図であるが、杭によって伝統的な込藁を使用しながらも人工樹を活用することで従来なら一本の枝に副えの金具を当てて針金で固定して曲げると言う手間を一切かからずに図のよう流枝や控枝と言う形状を尽くし出す事を可能にした。
【産業上の利用可能性】
【０００８】
立花並びに仏花と言われる生け方を必要とする全ての寺院並びにフラワーアートの業界での販売が見込まれる。
【符号の説明】
【０００９】
１．  四角い木製の杭の人工樹の付け根の枝を差し込む為の穴を開けた図である。
２．  四角い木製の杭を込藁に差込易くする為に切削して細く加工した図である。
３．  木製の杭の先端部を込藁に差込易くする為に尖らせた図である。
４．  四角い木製の杭に人工樹の付け根の枝を差し込む為の穴の空いた断面図である。
５．  四角い木製の杭に人工樹の付け根の枝の部分を取り付けて活けた時の姿を示す断面図である。
６．  人工樹を杭に取り付けて込藁と言う伝統的器具に突き刺した時の姿を示す断面図である。
【図１】
0003189932.tif 000003
【図２】
0003189932.tif 000004
【図３】
0003189932.tif 000005
【図４】
0003189932.tif 000006
【図５】
0003189932.tif 000007
【図６】
0003189932.tif 000008
【図７】
0003189932.tif 000009
【手続補正書】
【提出日】平成25年12月24日(2013.12.24)
【手続補正２】
【補正対象書類名】実用新案登録請求の範囲
【補正対象項目名】全文
【補正方法】変更
【補正の内容】
【実用新案登録請求の範囲】
【請求項１】
角棒の頂点に上方から木物の造花を差し込むための穴を開け、更に前記角棒の先端側の側面を平たく切削し、前記角棒の先端部を営利に尖らせた事を特徴とする、伝統的な立花に使用するための補助具。        
【手続補正書】
【提出日】平成26年2月10日(2014.2.10)
【手続補正１】
【補正対象書類名】実用新案登録請求の範囲
【補正対象項目名】全文
【補正方法】変更
【補正の内容】
【実用新案登録請求の範囲】
【請求項１】
角棒の頂点に上方から木物の造花を差し込むための穴を開け、更に前記角棒の先
端側の側面を平たく切削し、前記角棒の先端部を鋭利に尖らせた事を特徴とする
、伝統的な立花に使用するための補助具。
(57)【要約】      （修正有）【課題】室内でも室外でも使用可能とする電動手動併用のコーヒーミル装置を提供する。【解決手段】コーヒー豆を粉砕して挽き豆を形成する粉砕手段４と、粉砕手段４を駆動する電気モータ１と、コーヒー豆を貯蔵するコーヒー豆貯蔵部であるホッパー３と、コーヒー豆貯蔵部から落下するコーヒー豆を粉砕手段４に導くコーヒー豆通路とを備え、当該電気モータ１の内部にあるローター１ｂの軸１ｃに係合し、かつ粉砕手段４を手動で駆動させるハンドル２を係合させる部位を設置したコーヒーミル装置の本体１００と、当該部位と係合する部位を有する粉砕手段４を手動で駆動させるハンドル２との組合わせからなる。【選択図】図１
0003189966.tif 000002
【実用新案登録請求の範囲】
【請求項１】
コーヒー豆を粉砕して挽き豆を形成する粉砕手段と、粉砕手段を駆動する電気モータと、コーヒー豆を貯蔵するコーヒー豆貯蔵部と、コーヒー豆貯蔵部から落下するコーヒー豆を粉砕手段に導くコーヒー豆通路とを備え、当該電気モータの内部にあるローターの軸に係合し、かつ粉砕手段を手動で駆動させるハンドルを係合させる部位を設置したコーヒーミル装置の本体と、当該部位と係合する部位を有する粉砕手段を手動で駆動させるハンドルとの組合わせからなることを特徴とする電動手動併用のコーヒーミル装置。
【請求項２】
電気モータ（１）の内部で回転するローター（１ｂ）の軸（１ｃ）に粉砕手段（４）を手動で駆動させるハンドル（２）を係合させ固定した請求項１に記載の電動手動併用のコーヒーミル装置。
【考案の詳細な説明】
【技術分野】
【０００１】
本考案は、コーヒー豆を粉に挽くコーヒーミル装置に関する。
【背景技術】
【０００２】
従来、コーヒー豆を粉に挽くコーヒーミル装置は、コーヒー豆を粉砕して挽き豆を形成する粉砕手段を備え、電気モータを用いて粉砕手段を駆動させている（特許文献１参照）。
【先行技術文献】
【特許文献】
【０００３】
【特許文献１】特開２００８−１７９８０号公報
【考案の概要】
【考案が解決しようとする課題】
【０００４】
従来のコーヒーミル装置は、電気モータを用いて粉砕手段を駆動させているので、電源が必要であり、使用場所に制限があるという課題があった。
【０００５】
本考案は、上記の課題を解決しようとするものであり、室内でも室外でも使用可能とするコーヒーミル装置を提供することを目的とする。
【課題を解決するための手段】
【０００６】
本考案は、コーヒー豆を粉砕して挽き豆を形成する粉砕手段と、粉砕手段を駆動する電気モータと、コーヒー豆を貯蔵するコーヒー豆貯蔵部と、コーヒー豆貯蔵部から落下するコーヒー豆を粉砕手段に導くコーヒー豆通路とを備え、当該電気モータの内部にあるローターの軸に係合し、かつ粉砕手段を手動で駆動させるハンドルを係合させる部位を設置したコーヒーミル装置の本体と、当該部位と係合する部位を有する粉砕手段を手動で駆動させるハンドルとの組合わせからなることを特徴とする電動手動併用のコーヒーミル装置を提供するものである。
【考案の効果】
【０００７】
本考案に係るコーヒーミル装置は、電源のない状況においても手動でコーヒー豆を粉砕して挽き豆を形成することができる。室内でも室外でも使用することができるので、使用範囲が拡大し、かつ経済的である。
【図面の簡単な説明】
【０００８】
【図１】本考案の実施形態を示すコーヒーミル装置の部分断面正面図
【図２】本考案の実施形態を示すコーヒーミル装置の側面図
【考案を実施するための形態】
【０００９】
以下、本考案の実施の形態を図１及び図２に基づいて説明する。
【００１０】
図１は、本考案の実施形態を示すコーヒーミル装置の部分断面正面図を示し、図２は、本考案の実施形態を示すコーヒーミル装置の側面図を示す。
コーヒーミル装置の本体（１００）は、コーヒー豆を粉砕して挽き豆を形成する粉砕手段（４）と、粉砕手段（４）を駆動する電気モータ（１）と、コーヒー豆を貯蔵するコーヒー豆貯蔵部（３）と、コーヒー豆貯蔵部から落下するコーヒー豆を粉砕手段（４）に導くコーヒー豆通路とを備えており、電気モータ（１）の内部で回転するローター（１ｂ）の軸（１ｃ）に粉砕手段（４）を手動で駆動させるハンドル（２）を係合させる部位（１ｃ１）を有している。
【００１１】
電気モータ（１）の内部は、ステーター（１ａ）と、ステーターで発生する回転磁界により回転するローター（１ｂ）で構成されており、ローター（１ｂ）は中心に軸（１ｃ）を有している。
ハンドル（２）をコーヒーミル装置の本体（１００）に装着し、回転させることにより、コーヒー豆を手動で粉砕することができる。その装着は、例えば、ローター（１ｂ）の軸（１ｃ）に設けられたハンドル係合部である凸ネジ（１ｃ１）にハンドル（２）の凹ネジ（２ｃ）をねじ込み、固定させることにより行う。
ホッパー（３）はコーヒー豆の貯蔵容器であり、本考案におけるコーヒー豆貯蔵部に相当する。粉砕手段（４）で粉砕され、挽かれたコーヒー豆は受缶（５）に落下する。図１では、コーヒー豆貯蔵部から落下するコーヒー豆を粉砕手段に導くコーヒー豆通路は図示していない。
【００１２】
電源がある室内においては、コーヒーミル装置の本体（１００）に接続しているプラグ（６）をコンセントに差し込むことにより、電気モータ（１）の駆動によりコーヒー豆を挽くことができる。また、屋外においては、ハンドル（２）を、コーヒーミル装置の本体（１００）のローター（１ｂ）の軸（１ｃ）に係合させて固定し、手動で回転させることにより、電源の利用できない状況においても、コーヒー豆を挽くことができる。
【符号の説明】
【００１３】
１００  コーヒーミル装置の本体
１  電気モータ
１ａ  ステーター
１ｂ  ローター
１ｃ  軸
１ｃ１  凸ネジ
２  ハンドル
２ａ  凹ネジ
３  ホッパー
４  粉砕手段
５  受缶
６  プラグ
【図１】
0003189966.tif 000003
【図２】
0003189966.tif 000004
(57)【要約】      （修正有）【課題】台車への載せ降ろし作業を容易にし、移動中台車から車輪がずり落ちるのを阻止する自動二輪車等の台車を提供する。【解決手段】停車あるいは駐車時の自動二輪車等の方向転換や前後左右方向への移動を容易に行う台車である。一対の台板１に各々２個の自在車輪２を取り付け、台板１の前後端部を棒状の車輪保持部３で連結し、略ロの字状に形成している。車輪の乗込み退出時に台車１の車輪保持部３を車輪荷重により押し下げることにより自在車輪２を支点として台車が傾斜し、車輪保持部３が接地し床面との段差が小さくなり車輪の乗り込み退出を容易にする。車輪保持部３は、軟質材であるゴムまたはビニール等で被覆し、車輪乗込み退出時、車輪荷重により床面に圧接し、台車に制動を掛け台車が移動してしまうことを阻止する。【選択図】図２
0003189002.tif 000002
【実用新案登録請求の範囲】
【請求項１】
停車あるいは駐車時の自動二輪車等の方向転換や前後左右方向への移動を容易に行う台車であって、車輪の乗り込み時に台車の乗り込み部を車両の車輪によって押し下げることによって台車乗り込み部と床面との段差が小さくなり車輪の乗り込みを容易にする事を特長とする自動二輪車等の移動台車。
【請求項２】
車両乗り込みや退出時に車輪の荷重により軟質材が床面を圧接し制動を掛けることにより台車の移動を阻止する請求項１記載の自動二輪車等の移動台車。
【請求項３】
台車中央に載置された車輪は台車前後の車輪保持部により支承されることにより車輪が台車中央部に安定し移動中車輪が台車からずれ落ちるのを阻止する請求項１記載の自動二輪車等の移動台車。
【考案の詳細な説明】
【技術分野】
【０００１】
自動二輪車等の車体を狭い場所や駐車場等で方向転換や横移動等を容易に行う台車に関するものである。
【背景技術】
【０００２】
自動二輪車等は車体が重くかつ後輪が横方向に移動しないため狭い場所や駐車場等での方向転換や横移動が困難である。
【先行技術文献】
【特許文献】
【０００３】
【特許文献１】公開2000-33858
【考案の概要】
【考案が解決しようとする課題】
【０００４】
停車あるいは駐車時の自動二輪車等の車体の方向転換や前後、左右方向への移動を容易に行う台車であって、台車への乗り降りを容易にし、また台車に載置された車輪が移動時に動いて台車上から落ちてしまわないよう保持機能を持たせる。
【課題を解決するための手段】
【０００５】
台車は一対の板状の台板に各々2個の自在車輪を取り付け2本の車輪保持部で結合し略口の字状に形成されている。
車輪保持部は車輪乗り込み時台車の移動阻止及び床面の損傷を防止するゴムあるいはビニール等の軟質材で保護している。
乗り込み時車輪が車輪保持部を踏み込むと台車前方が浮き上がり、台車が傾斜し乗り込み部の車輪保持部の乗り込み高さが下がることにより乗り込みを容易にする、車輪の荷重により軟質材が床面に圧接すると摩擦力により台車が前に押し出されるのを阻止、同時に床面の損傷を防止する、車輪が台車中央付近に達すると軟質材は床面から離れ浮き上がっていたいた自在車輪が接地する。車輪は2本の車輪保持部によりしっかり保持するため台車移動中車輪が台車からずり落ちるのを阻止する。
【考案の効果】
【０００６】
自動二輪車等の車輪を台車に載せる際台車を傾斜させることにより乗り込み部高さが下がり、かつ台車に制動がかかるため乗り込み退出が容易に行える、また台車中央に載置された車輪は中央にしっかり保持されるため台車移動中車輪が台車からずり落ちる事がない。
【図面の簡単な説明】
【０００７】
【図１】本発明の一実施形態の上面斜視図である。
【図２】本発明の一実施形態の車輪乗り込み時を示す。
【図３】本発明の一実施形態の車輪が台車に載置された状態を示す。
【考案を実施するための形態】
【０００８】
実施形態を図によって説明する。
図１は本発明の台車の上からの斜視図である。
１.台板は一対の鋼板等からなる板状をしている。
2.自在車輪は１.台板の下面４か所に配置する。
３.車輪保持部は一対の台板の前後端に締結されており車輪が台車上に載置されたとき車輪の荷重を受け台車中央に保持する。
4.軟質材  ゴムまたはビニール等の軟質材で車輪保持部に被覆される。乗り込み退出時の台車に制動を掛け、及び床面損傷を防止する。
【実施例】
【０００９】
実施例を図2，図3によって示す。
図2は車両乗り込み時の状態を示す。
自動二輪車等の車輪が台車の3.車輪保持部に乗り込むと台車が傾斜し乗り込み部が下がり車輪の乗り込みを容易にすると同時に
４．軟質材が床面に押しつけられて、台車に制動がかかり、台車が移動してしまうことを阻止する。
【００１０】
図3は自動二輪車等の車輪が台車中央部に達した状態を示す。
車両が乗り上げ、台車中央部付近に達すると浮き上がっていた前端部の2.自在車輪が接地し同時に乗り込み部の4.軟質材が床面から離れる、車輪は2本の3.車輪保持部によって台車中央に保持されるので移動中台車からずれ落ちることなく2.自在車輪により自在方向へ移動を可能にする。
【産業上の利用可能性】
【００１１】
本実施例は自動二輪車に使用した例であるが全ての二輪車、三輪車や四輪車であっても良く、かつタイヤ単体や円筒状やロール状の形状をした物品への利用を妨げるものではない。
【符号の説明】
【００１２】
１.台板
2.自在車輪
３.車輪保持部
４.軟質材
【図１】
0003189002.tif 000003
【図２】
0003189002.tif 000004
【図３】
0003189002.tif 000005
【手続補正書】
【提出日】平成25年12月11日(2013.12.11)
【手続補正１】
【補正対象書類名】実用新案登録請求の範囲
【補正対象項目名】全文
【補正方法】変更
【補正の内容】
【実用新案登録請求の範囲】
【請求項１】
停車あるいは駐車時の自動二輪車等の方向転換や前後左右方向への移動を容易に行う台車であって、一対の台板に各々2個の自在車輪を取り付け、台板の前後端部を棒状の車輪保持部で連結し略ロの字状に形成している、車輪の乗込み退出時に台車の車輪保持部を車輪荷重により押し下げることにより前記自在車輪を支点として台車が傾斜し車輪保持部が接地し床面との段差が小さくなり車輪の乗り込み退出を容易にする事を特長とする自動二輪車等の台車。
【請求項２】
車輪保持部は軟質材であるゴムまたはビニール等で被覆し車輪乗込み退出時車輪荷重により床面に圧接し台車に制動を掛け台車が移動してしまうことを阻止する請求項１記載の自動二輪車等の台車。
【請求項３】
台車中央に載置された車輪は台車前後の車輪保持部により支承されることにより車輪が台車中央部に安定し移動中車輪が台車からずれ落ちるのを阻止する請求項１記載の自動二輪車等の台車。
(57)【要約】      （修正有）【課題】茹で器の水餃子を茹でる過程で、煮沸温度に基づいて自動的に水を加えることができ、水餃子を茹でる作業をより便利にし、水餃子のおいしさを保持することができる水餃子茹で器を提供する。【解決手段】鍋体１と、鍋体に結合された制御本体２を含み、鍋体に温度検出装置１１が設置され、制御本体に制御回路２１が設置され、制御回路が温度検出装置及び駆動回路２２に接続され、駆動回路が電動制水弁２３に接続され、電動制水弁が入水管２４及び出水管２５に連接される。鍋体で水餃子を茹でるときは、温度検出装置により水の温度を検出し、水が煮沸温度に達すると、制御回路が駆動回路をトリガーして電動制水弁を開かせ、入水管及び出水管を通して鍋体に適量の水を注入させ、かつ設定された回数の水の注入を行った後自動的に停止する。【選択図】図２
0003189099.tif 000002
【実用新案登録請求の範囲】
【請求項１】
鍋体と、前記鍋体に結合された制御本体を含み、前記鍋体に温度検出装置が設置され、前記制御本体に制御回路が設置され、前記制御回路が前記温度検出装置及び駆動回路に接続され、かつ前記駆動回路が電動制水弁に接続され、前記電動制水弁が入水管及び出水管に連接され、前記入水管が水道管またはその他の水管に連接され、前記出水管が前記鍋体の縁に掛置されたことを特徴とする、水餃子茹で器。
【請求項２】
前記温度検出装置が前記鍋体の外面に設置されたことを特徴とする、請求項１に記載の水餃子茹で器。
【考案の詳細な説明】
【技術分野】
【０００１】
本考案は、水餃子を茹でる過程で自動的に水を加え、水餃子を茹でる作業をより便利にした、水餃子茹で器に関する。
【背景技術】
【０００２】
一般的に、水餃子を茹でるときは、まず鍋に一定量の水を入れ、水が沸騰したら水餃子を投入して、再度沸騰したときに適量の水を加える必要がある。このように少なくとも３回間隔をあけて水を加えながら水餃子を茹でると、水餃子のおいしさを保持し、煮崩れを生じないようにすることができる。
ところがこのように水餃子を茹でると、その過程で隨時鍋の状態に注意を払い、沸騰したときにすぐに水を加える必要があるため、その他の作業を平行して行うことができず、ともすると煮沸させすぎたり、水を加え忘れたりして、水餃子本来のおいしさが失われてしまう。
【考案の概要】
【考案が解決しようとする課題】
【０００３】
本考案が解決しようとする課題は、上述の問題を解決し、水餃子を茹でる過程で、煮沸温度に基づいて自動的に水を加えることにより、水餃子を茹でる作業をより便利にし、水餃子のおいしさを保持することができる、水餃子茹で器を提供することにある。
【課題を解決するための手段】
【０００４】
本考案の水餃子茹で器は、鍋体と、前記鍋体に結合された制御本体を含む。前記鍋体に温度検出装置が設置され、前記制御本体に制御回路が設置され、制御回路が温度検出装置及び駆動回路に接続され、駆動回路が電動制水弁に接続され、電動制水弁が入水管及び出水管に連接される。鍋体で水餃子を茹でるときは、温度検出装置により水の温度を検出し、水が煮沸温度に達すると、制御回路が駆動回路をトリガーして電動制水弁を開かせ、入水管及び出水管を通して鍋体に適量の水を注入させ、かつ設定された回数の水の注入を行った後自動的に停止する。
前記温度検出装置は、鍋体の外面の適切な位置に設置される。
【考案の効果】
【０００５】
本考案によれば、温度検出装置を設置した鍋体に、制御回路と電動制水弁を設置した制御本体を組み合わせて水餃子茹で器を構成しているので、水餃子を茹でる過程において、煮沸の温度に基づき自動的に水を加え、水餃子を茹でる作業をより便利にし、水餃子のおいしさを保つことができる。
【図面の簡単な説明】
【０００６】
【図１】本考案の実施例を示す水餃子茹で器の斜視図である。
【図２】本考案の実施例を示す水餃子茹で器の一部を透視した斜視図である。
【図３】本考案の実施例に係る回路ブロック図である。
【図４】本考案の実施例を示す水餃子茹で器の使用状態における斜視図である。
【考案を実施するための形態】
【０００７】
以下、本考案の実施例を図面に基づいて詳細に説明する。
図１は本考案の水餃子茹で器の斜視図、図２は本考案の水餃子茹で器の一部を透視した斜視図、図３は本考案の水餃子茹で器の回路ブロック図である。
図１〜図３に示すように、本考案の水餃子茹で器は鍋体１と、鍋体１に結合された制御本体２を含む。
【０００８】
鍋体１には温度検出装置１１が設置される。本実施例において、温度検出装置１１は鍋体１外面の適当な位置に設置される。
制御本体２には制御回路２１が設けられ、制御回路２１が温度検出装置１１及び駆動回路２２に接続される。また、駆動回路２２が電動制水弁２３に接続され、電動制水弁２３が入水管２４及び出水管２５に連接される。入水管２４は水道管またはその他の水管に連接され、出水管２５は鍋体１の縁に掛置される。
【０００９】
水餃子を茹でるときは、まず鍋体１に適量の水を注入し、火にかけて加熱後、水餃子を投入する。茹でる過程において、温度検出装置１１で水の温度を検出し、水が煮沸温度に達すると、制御回路２１が駆動回路２２をトリガーして電動制水弁２３を開かせ、鍋体１に適量の水が加えられ、かつ設定された回数の水の注入を行った後自動的に停止し、水餃子を茹でる作業をより便利にする。
【００１０】
本考案の水餃子茹で器の使用時は、図４に示すように、まず鍋体１に適量の水を注入し、火にかけて加熱後、水餃子３を投入する。茹でる過程において、鍋体１に設置された温度検出装置１１が絶えず水の温度を検出し、検出信号を制御本体２の制御回路２１に送信する。
温度が沸騰点に達していないとき、制御回路２１は駆動回路２２をトリガーせず、電動制水弁２３は閉じた状態となり、入水管２４の水が停止した状態となる。
水が煮沸温度（１００℃）に達すると、温度検出装置１１がこれを検出し、制御回路２１が駆動回路２２をトリガーして電動制水弁２３を開かせ、入水管２４と出水管２５を相通させて、鍋体１に適量の水（約１リットル程度）が加えられ、かつ設定された回数（３回）の水の注入を行った後自動的に停止する。これにより、水餃子を茹でるときに水の煮沸状態に特別注意する必要がなく、かつ適時の注水を忘れて水餃子が煮崩れすることもないため、水餃子のおいしさを保ち、水餃子を茹でる作業をより便利にすることができる。
【００１１】
以上は、本考案の最良の実施方法を説明するためのものであり、本考案の権利範囲を制限するものではなく、本考案の要旨を逸脱しない若干の修飾や変更を経ても、本考案の権利範囲に含まれる。
【符号の説明】
【００１２】
１        鍋体
１１      温度検出装置
２        制御本体
２１      制御回路
２２      駆動回路
２３      電動制水弁
２４      入水管
２５      出水管
３        水餃子
【図１】
0003189099.tif 000003
【図２】
0003189099.tif 000004
【図３】
0003189099.tif 000005
【図４】
0003189099.tif 000006
(57)【要約】【課題】本流の抵抗を軽減し、又スロット３の構造も創意工夫をして、目詰まりによる流入量の減少を防止する、ドーム型ストレーナーを提供すること。【解決手段】ドーム型ストレーナー1は、液体が流通する本流と本流に接続された支流との間に設けられ、ドーム型に形成された本体10を備え、本体10には、一端近くから他端近くまで延び、本体10の外側と内側を貫通するスロット３が複数形成され、スロット３の内側は、ハの字型に形成されている。【選択図】図１
0003189094.tif 000002
【実用新案登録請求の範囲】
【請求項１】
液体が流通する本流と本流に接続された支流との間に設けられるストレーナーであって、ドーム型に形成された本体を備え、本体には、一端近くから他端近くまで延び、本体の外側と内側を貫通するスロット３が複数形成され、スロット３の内側は、ハの字型に形成されているドーム型ストレーナー。
【考案の詳細な説明】
【技術分野】
【０００１】
本考案は、ドーム型ストレーナーが流入物で目詰まりを起こし、流入量の低下を軽減する形状に関するものである。
【背景技術】
【０００２】
このようなストレーナーは、デープウェル排水用、オイルストレーナー、塗料濾過用ストレーナー等の他、特許文献１には、スリツト位置可変ストレーナーが提案されている。
【先行技術文献】
【特許文献】
【０００３】
【特許文献１】特開平０８−２６９９３８号公報
【考案の概要】
【考案が解決しようとする課題】
【０００４】
簡易な構造の為、創意工夫を最大限に活用されず、目詰まりの軽減が図られて無い。
【課題を解決するための手段】
【０００５】
液体が流通する本流と本流に接続された支流との間に設けられるストレーナーであって、ドーム型に形成された本体を備え、本体には、一端近くから他端近くまで延び、本体の外側と内側を貫通するスロットが複数形成され、スロットの内側は、ハの字型に形成されているドーム型ストレーナー。
【考案の効果】
【０００６】
本考案は、流入物に対応したスロットの形状を選択し、目詰まりを軽減して、流入量の低下を防ぐ。
【図面の簡単な説明】
【０００７】
【図１】本考案の実施形態に係るドーム型ストレーナーを示した平面図である。
【図２】本考案の実施形態に係るドーム型ストレーナーを示した正面の断面図である。
【図３】本考案の実施形態に係るドーム型ストレーナーを示したスロットの代表的な拡大図である。
【考案を実施するための形態】
【０００８】
ストレーナー１００は、液体が流通する本流と本流に接続された支流との間に設けられ、ドーム型に形成された本体を備え、本体には、一端近くから他端近くまで延び、本体の外側と内側を貫通するスロット３が複数形成され、スロット３の内側はハの字型に形成されている。
【０００９】
本体１０は、台座１と、フレーム２と、を備える。台座１は、ストレーナー1の取付け固定用であり、材質、強度、厚さを考慮して選定する。
【００１０】
フレーム２は、ドーム型に形成され、スロット３が形成され、材質、強度、厚さを考慮して選定する。 
【００１１】
スロット３は、ストレーナーの中枢となるもので、流入物に適合した形状の線状、数珠状、Ｖ状、Ｕ状、ハの字状等及び幅を選定して、流入量を確保し更に目詰まりの軽減を図る。    
【００１２】
本実施形態によれば、ドーム型の形状であり一面的な加工で、強度が確保された製作が容易に可能である。
【００１３】
また、本実施形態によれば、小型軽量で運搬、着脱が容易である。
【００１４】
構成部品は、市販品で入手、加工が容易である金属、セラミック等を活用する。
【産業上の利用可能性】
【００１５】
本考案は、目詰まりを軽減し流入量の維持を図れるので、水道、農業用水、流水式発電機等の取水用に活用されるものと、考えられる。
【符号の説明】
【００１６】
１      ドーム型ストレーナーの台座
２      フレーム
３      スロット
１０    本体
１００  ドーム型ストレーナー
【図１】
0003189094.tif 000003
【図２】
0003189094.tif 000004
【図３】
0003189094.tif 000005
(57)【要約】      （修正有）【課題】下げ飾である天然竹からなる人形において、振動や接触等により破損することがない構造とした下げ飾を提供する。 【解決手段】人形４を円柱または多角形柱等の透明な樹脂柱１６の中心部に封入し、樹脂柱の上端部に吊り下げ用の取り付け用穴または取り付け具等を取り付ける事により、人形の変色，破損を防止するとともに携帯を可能とする。また、樹脂柱の表面部を研磨することにより、高い透明度が確保され、封入した人形を鮮明に見ることが可能となる。【選択図】図１
0003189079.tif 000002
【実用新案登録請求の範囲】
【請求項１】
天然竹を加工して成る部材を組み合わせて人形を製作し，この人形を透明な
樹脂柱に封入し，樹脂柱の上端部に吊り下げ用の取付穴または取付具のいずれか
一つを取り付けたことを特徴とする下げ飾。
【請求項２】
樹脂柱は，円柱または多角形柱のいずれかとし，前記樹脂柱の表面部を研磨
したことを特徴とする請求項１に記載の下げ飾。
【請求項３】
樹脂を注入時に樹脂型枠の底面に人形を固定し，樹脂型枠に透明な樹脂を注入したことを特徴とする請求項１に記載の下げ飾。
【考案の詳細な説明】
【技術分野】
【０００１】
本考案は，天然竹からなる人形の携帯用ストラップやキーホルダー等の下
げ飾に関するものである。
【背景技術】
【０００２】
従来，携帯用ストラップ等の下げ飾の部分は，金属，樹脂，木，布等の様々な素材が使用されている。
【先行技術文献】
【特許文献】
【０００３】
【特許文献１】実用新案登録第３１５８４３０号
【特許文献２】特開２０００−３３００７１
【考案の概要】
【考案が解決しようとする課題】
【０００４】
下げ飾である人形は、天然竹からなる複数種類の部位の部品を接着剤で接着することにより製造することから，振動，接触等により破損しやすく，有効な解決策が見つかっていない。
【課題を解決するための手段】
【０００５】
請求項１に記載の考案は，天然竹から複数種類の部位の部品からなる竹人形を透明な樹脂に封入して下げ飾りを製作する。 
請求項２に記載の考案は，樹脂は円柱または多角形柱とし，表面部は研磨する。 
請求項３に記載の考案は，樹脂型枠に人形を固定し，透明な樹脂を注入する。
【考案の効果】
【０００６】
請求項１に記載の考案は，人形を樹脂柱に封入することで，下げ飾の変色，破損を防止するとともに携帯が可能となる。
請求項２に記載の考案は，円柱または多角形柱の樹脂柱に人形を封入し，
樹脂柱の表面部を研磨することにより，高い透明度が確保され，封入した
人形を鮮明に見ることが可能となる。
請求項３に記載の考案は，樹脂型枠の底面に人形を固定することにより，
円柱または多角形柱の樹脂柱の中心部に人形を封入することが可能となる。
【図面の簡単な説明】
【０００７】
【図１】人形を樹脂柱に封入した下げ飾
【図２】天然竹で製作した竹人形の正面図
【図３】天然竹で製作した竹人形の側面図
【考案を実施するための形態】
【０００８】
天然竹で成形した笠部品，頭部品，手腕部品，袖部品，上部胴体部品，帯
部品，帯留め部品，下部胴体，足部品，帯山部品，帯たれ部品等を量産し，
これらの部品を接着剤で接着して所定の形態に形成し，透明な樹脂に封入
し，下げ飾部分とする。
【実施例】
【０００９】
以下，図面を参照して本考案に係る下げ飾の実施例を説明する。
図１は，本考案に係る天然竹からなる女性が踊っている格好をしている人
形４を透明な樹脂柱１６に封入し，樹脂柱１６の上端部に携帯用ストラップ１
などの取り付け用穴２を設けた下げ飾３の図である。
取付穴２の代わりに取付具を樹脂柱１６内に埋め込んでもよい。
また，図２及び図３は，本考案に係る天然竹で成形した女性が踊っている
格好をした人形４の部品を接着剤で接着して所定の形態に形成した図で
ある。
まず，図１の下げ飾部分は，女性が踊っている格好をしている人形４を使
用するが，これに男性が踊っている格好をしている人形を使用しても構わ
ない。
また，本実施例では，女性が踊っている格好をしている人形４の部品とし
て，笠５，頭６，手腕７，袖８，上部胴体９，帯１０，帯留め１１，下部
胴体１２，足１３，帯山１４，帯たれ１５等を使用するが，うちわやひょ
うたん，印籠等の装飾品部品があっても構わない。
また，本実施例では，女性が踊っている格好をしている人形４を使用して
いるが，天然竹で量産製作する部品を変更することにより、踊っていない女性
や男性の人形，生物の形をしたものとしても構わない。
【産業上の利用可能性】
【００１０】
特に天然竹の産地を有する地域においては，新たなお土産品の製造に利用
が可能であり，特産品の活用による観光産業の活性化が見込まれる。
【符号の説明】
【００１１】
１  ストラップ
２  ストラップ取付用穴
３  下げ飾
４  竹人形
５  笠
６  頭
７  手腕
８  袖
９  上部胴体
１０  帯
１１  帯留め
１２  下部胴体
１３  足
１４  帯山
１５  帯たれ
１６  樹脂柱
【図１】
0003189079.tif 000003
【図２】
0003189079.tif 000004
【図３】
0003189079.tif 000005
(57)【要約】      （修正有）【課題】眺めるだけで、楽しいとか、可愛いとか、綺麗とか、凄いとか、利用者の感情感性に何か暖かいものが流れる様なティッシュボックスを提供する。【解決手段】ティッシュボックス本体１の表面２のティッシュ取出口を囲むように、取付部５とテッシュ排出口６と、さらに支持体７を設けた、デザインティッシュガイド４を装着する。【選択図】図１
0003189012.tif 000002
【実用新案登録請求の範囲】
【請求項１】
ティッシュボックス本体（１）の表面（２）のティッシュ取出口（３）を囲むように、取付部（５）とテッシュ排出口（６）を設けた、デザインティッシュガイド（４）を装着して、さらに該ガイドに支持体（７）を設けて成るティッシュボックス。
【考案の詳細な説明】
【技術分野】
【０００１】  本考案は、ティッシュを使用する上での、趣向や興味関心に関するものである。
【背景技術】
【０００２】  現状は、便利にティッシュを使っている程度の関心でしかなく、只、置かれていた。
【考案が解決しようとする課題】
【０００３】  現在、ティッシュは日常の必需品として、社会生活に欠かせない存在として利用されている。こうした中で、ティッシュボックスにもっと想像や夢を持たせて、生活の中で只、消費対象に流されるだけにしないで、ティッシュを見る度に、ユーモアとか美的感覚を貰ったり、置かれているだけで利用する人々の感性に、何か訴えるものがあるような存在にしたい。つまりこれを眺めるだけで、楽しいとか、可愛いとか、綺麗とか、凄いとか、利用者の感情感性に何か暖かいものが流れる様な物にしたい。
しかし、今のティッシュにはそこまで考えたものは皆無であった。
これらの問題点を改善し、今までにない有効な本考案がなされたのである。
【課題を解決するための手段】
【０００４】  本考案は出来る限りの簡単構成で形成されている。以下解決手段を説明する。
まず、ティッシュボックス本体（１）の表面（２）に設けられた、ティッシュを取出するティッシュ取出口（３）に対して、該取出口の全体を取囲んで、ここに取付ける手段の取付部（５）とティッシュ排出口（６）を設けた、デザインティッシュガイド（４）を装着する。さらにこの組付けられた、該ガイドを支える支持体（７）を、これに取付ける。このデザインティッシュガイド（４）は、折りたたみ自在であり、その装着方法も取付部（５）に両面テープが施されているので糊付けされるとか、その他方法がある。また該ティッシュガイドは、洗練されたデザインで形作られている。図１および図２のごとく、デザインティッシュガイド（４）が富士山のイメージで形成されていると、取出されたティッシュが噴火雲のように見えて、実にユーモラスな様子が置かれた部屋の雰囲気やムードを高める。つまり該ティッシュガイドが火を噴く怪獣の姿や、その他、面白いデザインで形成すれば、もっと味のあるもの等なんでも作り出せる。
本考案は以上のような特徴よりなる、ティッシュボックスである。
【考案の効果】
【０００５】  本考案は、家庭、事務所その他、多方面で利用されて、その場の雰囲気を和らげるので、人々の生活必需品としてだけでなく、精神的な安らぎを提供する効果がある。
さらに使い勝手が良く、ティッシュが空になれば、他のティッシュボックスにデザインティッシュガイド（４）を移し変えて装着して使う事ができる。
【考案を実施するための最良の形態】
【０００６】  本考案は簡単な構成で形成されている。
まず、ティッシュが収納されている、ティッシュボックス本体（１）の表面（２）に設けられた、ティッシュを取出するティッシュ取出口（３）に、該取出口の全体を取囲んで、包み込んだ状態で、デザインティッシュガイド（４）を装着する。ここに取付ける手段として、該ティッシュガイドにティッシュ取出口（３）に合わせた取付部（５）およびティッシュ排出口（６）を設ける。さらに該ティッシュガイドの形を支えるための支持体（７）を設ける。このデザインティッシュガイド（４）は、折りたたみ自在に作られており、通常はティッシュボックス本体（１）の側面等に折り畳まれて、取付けられている状態がベストである。そしてティッシュ取出口（３）に装着する方法として、この取付部（５）に両面テープを施して、これで糊付けするとか、その他ティッシュ取出口（３）の周囲に切込溝を作り、ここにデザインティッシュガイド（４）に設けた切込み足辺でもって、差込んで装着する方法等でも良い。また該ティッシュガイドは、洗練されたデザインで形作られている。図１および図２のごとく、デザインティッシュガイド（４）が富士山のイメージで形成されていると、取出されたティッシュが噴火雲のように見えて、実にユーモラスな様子が表現され、家などでは置かれいる部屋の雰囲気やムードを高めてくれる。
つまり他の例としては、該ティッシュガイドが火を噴く怪獣の姿や、その他、面白いデザインで形成すれば、もっと味のあるもの等なんでも表現して作り出せる。
本考案は以上のような構成であり、これを使用実施するときには、【０００７】    図１、図２のように、富士山をイメージして折り畳まれている、デザインティッシュガイド（４）をワンタッチで簡単に組立てて、取付部（５）が両面テープになっているタイプであれば、被服シールを剥がして、ティッシュ取出口（３）の周囲に合わせて、取付部（５）から接着して装着する。さらに支持体（７）で該ティッシュガイドを止めて、形を整えてやる。そしてティッシュをティッシュ排出口（６）から引っ張り出せばまるで、富士山が噴火して噴煙を上げているようなイメージを作り出せるのである。そして使い勝手としては、ティッシュが空になれば、他のティッシュボックスにも装着して使用することができる。
【図面の簡単な説明】
【０００８】
【図１】  本考案の斜視図である。
【図２】  本考案の組付説明図である。
【符号の説明】
【０００９】  １  ティッシュボックス本体
２  表面
３  ティッシュ取出口
４  デザインティッシュガイド
５  取付部
６  ティッシュ排出口
７  支持体
【図１】
0003189012.tif 000003
【図２】
0003189012.tif 000004
(57)【要約】【課題】  クラウン部とベッド部とを別々に製作することにより製作能率の向上とコストの軽減を図ると共に、コラムを兼ねたタイロッドをラムの摺動ガイド用のガイドポストと兼用させることにより、コストを省略する。【解決手段】  ラム４を上下運動させるクランクシャフト及びこれの回転駆動機構を保持するクラウン部２と、ボルスタ８を備えたベッド部７と、これらクラウン部２とベッド部７との間のコラム部とからなるストレートサイドプレス機である。前記クラウン部２と前記ベッド部７とを別体とし、これらクラウン部２とベッド部７とをコラムを兼ねたタイロッド９、９をもって一体的に結合する。更に該タイロッド９、９を、ラム４の摺動ガイド用のガイドポストと兼用させる。【選択図】  図１
0003189022.tif 000002
【実用新案登録請求の範囲】
【請求項１】
ラムを上下運動させるクランクシャフト及びこれの回転駆動機構を保持するクラウン部と、ボルスタを備えたベッド部と、これらクラウン部とベッド部との間のコラム部とからなるストレートサイドプレス機において、前記クラウン部と前記ベッド部とを別体とし、これらクラウン部とベッド部とをコラムを兼ねたタイロッドをもって一体的に結合し、更に該タイロッドを、ラムの摺動ガイド用のガイドポストと兼用させるようになしたことを特徴とするストレートサイドプレス機。
【考案の詳細な説明】
【技術分野】
【０００１】
本考案は、ストレートサイドプレス機に関するものである。
【背景技術】
【０００２】
従来のストレートサイドプレス機は、フレーム全体が一体的な構造である。即ち、ラムを上下動させるクランクシャフト及びこれの回転駆動機構を保持するクラウン部と、ボルスタを備えたベッド部との間のコラム部とが一体的に構成されている。
【０００３】
このため、フレームを加工する際において全体を一体的に加工しなければならず、加工が面倒であり、また、実際にプレス作業をする際においては、周囲が囲まれているために作業しにくいという問題点があった。
【考案の概要】
【考案が解決しようとする課題】
【０００４】
本考案は上記の点に鑑みなされたものであって、クラウン部とベッド部とを別体とし、これらをコラムを兼ねたタイロッドで一体的に結合し、更に該タイロッドを、ラムの摺動ガイド用のガイドポストを兼用させるようになし、もって上記従来のストレートサイドプレス機の有する問題点を悉く解消することができるようになしたストレートサイドプレス機を提供しようとするものである。
【課題を解決するための手段】
【０００５】
而して、本考案の要旨とするところは、ラムを上下運動させるクランクシャフト及びこれの回転駆動機構を保持するクラウン部と、ボルスタを備えたベッド部と、これらクラウン部とベッド部との間のコラム部とからなるストレートサイドプレス機において、前記クラウン部と前記ベッド部とを別体とし、これらクラウン部とベッド部とをコラムを兼ねたタイロッドをもって一体的に結合し、更に該タイロッドを、ラムの摺動ガイド用にガイドポストと兼用させるようになしたことを特徴とするストレートサイドプレス機にある。
【考案の効果】
【０００６】
本考案は上記の如き構成であり、クラウン部とベッド部とを別体とし、これらをコラムを兼ねたタイロッドをもって一体的に結合するものであるから、クラウン部とベッド部とを別々に製作することができて、製作が容易となる。したがって、製作上の能率が向上すると共に、コストを軽減することもできる。また、クラウン部とベッド部とを結合するコラムを兼ねたタイロッドをラムの摺動ガイド用のガイドポストと兼用させるようになしたから、従来必要であったガイドポストを不要とすることができる。したがって、その分のコストを省略することができる。また、作業の邪魔になる部材も減るから、作業能率を向上させることもできるものである。
【図面の簡単な説明】
【０００７】
【図１】本考案の実施形態に係るストレートサイドプレス機の正面図である。
【図２】同一部省略して示した背面図である。
【図３】同左側面図である。
【図４】同右側面図である。
【図５】同平面図である。
【考案を実施するための形態】
【０００８】
以下、本考案を実施するための形態について、図面を参照して説明する。
【０００９】
図中、１はストレートサイドプレス機である。２は該ストレートサイドプレス機１におけるクラウン部であり、後記ラムを上下動させるクランクシャフト（図示せず。）及びこれの回転駆動機構３を保持するものである。そして、該クラウン部２は後記ベッド部と別体とし、夫々に製作される。
【００１０】
４は前記クランクシャフトの回転により上下運動するラムであり、５は該ラム４の四隅に備えた、後記ガイドポストを兼用するタイロッドを摺動自在に嵌挿したガイドスリーブである。また、６は前記クランクシャフトに連接するコンロッドである。
【００１１】
７はボルスタ８を備えたベッドである。また、該ベッド７は前記の通り前記クラウン部２と別体とし、該クラウン部２とは別々に製作される。
【００１２】
９、９は前記クラウン部２とベッド部７とを一体的に結合する、コラムを兼ねたタイロッドである。そしてまた、該タイロッド９、９は、前記ラム４の摺動ガイド用のガイドポストを兼用している。したがって、該タイロッド９、９を前記ラム４の四隅に備えたガイドスリーブ５、５に摺動自在に嵌挿している。
【００１３】
上記実施形態によれば、クラウン部２とベッド部７とを別体とし、これらをコラムを兼ねたタイロッド９、９をもって一体的に結合するものであるから、クラウン部２とベッド部７とを別々に製作することができて、製作が容易となる。したがって、製作上の能率が向上すると共に、コストを軽減することもできる。また、クラウン部２とベッド部７とを結合するコラムを兼ねたタイロッド９、９をラム４の摺動ガイド用のガイドポストと兼用させるようになしたから、従来必要であったガイドポストを不要とすることができる。したがって、その分のコストを省略することができる。また、作業の邪魔になる部材も減るから作業能率を向上させることもできるものである。
【符号の説明】
【００１４】
１  ストレートサイドプレス機
２  クラウン部
４  ラム
５、５  ガイドスリーブ
６  コンロッド
７  ベッド
９、９  タイロッド
【図１】
0003189022.tif 000003
【図２】
0003189022.tif 000004
【図３】
0003189022.tif 000005
【図４】
0003189022.tif 000006
【図５】
0003189022.tif 000007